(57)【要約】【課題】主として、通常の歩行に際して離脱することなく、安定してスリッパに装着しておくことのできる簡易清掃具を提供する。【解決手段】埃吸着性を有する不織布製の清掃面３に爪先係合部及び踵係合部を設けてなり、爪先係合部は清掃面３と共にスリッパ５の爪先１３を差し込む爪先袋部７を形成する爪先係合面１を前記清掃面３の周縁に沿って溶着して形成し、踵係合部は清掃面３と共にスリッパ５の踵１４を差し込む踵袋部８を形成する爪先係合面１を前記清掃面３の周縁に沿って溶着して形成した簡易清掃具４である。【選択図】        図２
2004248941.tif 000002
【特許請求の範囲】
【請求項１】
埃吸着性を有する不織布製の清掃面に爪先係合部及び踵係合部を設けてなる簡易清掃具。
【請求項２】
爪先係合部は、清掃面と共に履き物の爪先を差し込む爪先袋部を形成する爪先係合面を前記清掃面の周縁に沿って溶着して形成してなる請求項１記載の簡易清掃具。
【請求項３】
爪先係合面は、伸長性のある樹脂素材面材とし、清掃面及び爪先係合面が形成する爪先袋部は履き物の爪先よりも小さな膨らみを有するようにしてなる請求項２記載の簡易清掃具。
【請求項４】
爪先係合面は、伸長性のない樹脂素材面材とし、清掃面及び爪先係合面が形成する爪先袋部は履き物の爪先と略同じ大きさの膨らみを有するようにしてなる請求項２記載の簡易清掃具。
【請求項５】
爪先係合面は、爪先袋部の開口に平行な分離線を溶着部位に達しない範囲で設けてなる請求項２記載の簡易清掃具。
【請求項６】
踵係合部は、清掃面と共に履き物の踵を差し込む踵袋部を形成する爪先係合面を前記清掃面の周縁に沿って溶着して形成してなる請求項１記載の簡易清掃具。
【請求項７】
踵係合部は、履き物の裏面に接面する清掃面の表面に、該履き物の底部の裏面に着脱自在な係着面を取り付けて形成した請求項１記載の簡易清掃具。
【請求項８】
踵係止部は、清掃面から後方に延長し、履き物の底部の裏面から踵を回って該履き物の底部の表面に接面する折返面の表面に、履き物の底部の表面に着脱自在な係着面を取り付けて形成した請求項１記載の簡易清掃具。
【発明の詳細な説明】
【０００１】
【発明の属する技術分野】
本発明は、履き物、特にスリッパに対して簡易に装着して歩行することにより、床面の埃を吸着、除去する簡易清掃具に関する。
【０００２】
【従来の技術】
簡易清掃具としては、埃吸着性を備えた不織布又は紙（いわゆる「化学雑巾」）がある。これら簡易清掃具は手に持って床面を拭くため、使用に際しては腰をかがめたり、四つ這いになる必要がある。そこで、床面の清掃をもっと容易にできるように、簡易清掃具をスリッパに装着して歩き、床面を清掃する簡易清掃具が提案されている。具体的には、特許文献１〜３を例示できる。
【０００３】
特許文献２を例に挙げれば、これら簡易清掃具は、清掃面（掃除用吸着シート）の片面縁まわりに伸縮部材を取り付け、スリッパの底から前記清掃面を被せて、伸縮部材による絞りで容易に清掃面を脱落させないようにしたり（特許文献２、請求項１）、直接的に清掃面を両面テープによりスリッパの底に貼り付けている（特許文献２、請求項２）。また、特許文献３は、簡易清掃具に設けたストッパベルトを使用者の踵に掛け回して簡易清掃具の離脱を防止している。
【０００４】
【特許文献１】
実開昭５９−０１５３０１号公報（第２〜３頁、第１〜４図）
【特許文献２】
特開平１０−０７１００１号公報（第２頁、第１〜３図）
【特許文献３】
実用新案登録第３０６７５３４号公報（第３〜４頁、第１及び２図）
【０００５】
【発明が解決しようとする課題】
スリッパに簡易清掃具を取り付けて使用する場合、通常の歩行によってスリッパから簡易清掃具が外れないことが肝要である。しかし、通常の歩行により簡易清掃具に係る負荷は大きさ又は方向が様々であり、また装着対象となる履き物によっても負荷の係り方が変わってしまい、スリッパにしっかりと装着しておくことは難しい。そこで、通常の歩行に際して離脱することなく、安定してスリッパに装着しておける簡易清掃具を開発するため、検討した。
【０００６】
【課題を解決するための手段】
検討の結果開発したものが、埃吸着性を有する不織布製の清掃面に爪先係合部及び踵係合部を設けた簡易清掃具である。本発明にいう履き物は、主にスリッパ又は靴であるが、本発明の構成上、スリッパ又は靴に限定されず、およそあらゆる履き物に適用可能である。清掃面は、装着対象である履き物の底部（履き物底＝スリッパ底又は靴底等）と略同形か、前記底部より大きければよい。履き物に対する装着安定性は、爪先係合部及び踵係合部の係合程度及び両者の位置関係で決まるからである。
【０００７】
まず、爪先係合部は、清掃面と共に履き物の爪先を差し込む爪先袋部を形成する爪先係合面を前記清掃面の周縁に沿って溶着して形成する構成を例示できる。前記爪先係合面は、（ａ）伸長性のある樹脂素材面材とし、清掃面及び爪先係合面が形成する爪先袋部は履き物の爪先よりも小さな膨らみを有するか、（ｂ）伸長性のない樹脂素材面材とし、清掃面及び爪先係合面が形成する爪先袋部は履き物の爪先と略同じ大きさの膨らみを有するようにする。
【０００８】
上記（ａ）の構成であれば、爪先袋部に差し込んだ爪先が爪先係合面に押さえられて、簡易清掃具の装着安定性を高めることができる。また、（ｂ）の構成であれば、爪先袋部は履き物の爪先を少し差し込む程度、例えば清掃面に対して１／８〜１／３程度の爪先係合面で構成すれば済む利点がある。本発明に言う「伸長性」とは、外部的負荷により少なくとも元の長さより長く伸びる性質を意味し、復元力（引っ張り力）を発生させる伸縮性をも含む。
【０００９】
ここで、樹脂素材面材とは、清掃面と同種又は異種の不織布のほか、透明、半透明又は不透明な樹脂フィルムを含む。不織布又は樹脂フィルムには、殻、模様、字、色等を印刷又は描画してもよい。透明な樹脂フィルムの場合、前記印刷又は描画をせず、爪先の差し込み具合を外部から視認できる。
【００１０】
また、爪先係合面は、爪先袋部の開口に平行な分離線を溶着部位に達しない範囲で設けるとよい。分離線により爪先係合面から切り離した帯状部分はストッパベルトとなる。このストッパベルトは、溶着部位に達しない分離線により爪先係合面と連続しており、ストッパベルトにかかる負荷は爪先係合面を介して清掃面を引き上げる働きを発揮して、簡易清掃具の装着安定性をもたらす。前記負荷は、ストッパベルトを履き物又は足で踏んだり、履き物の甲被に掛け回すことで得ることができる。
【００１１】
上記特許文献３は、踵に掛け回すストッパベルトについて開示しているが、本発明のストッパベルトは（１）爪先係合面と一体に形成し、使用者の選択により爪先係合面から適宜分離でき、しかも（２）使用者が履き物又は足で踏む態様で用いる点が異なる。分離線はミシン目が最も簡易であるが、爪先係合面の他の部分から手で引き離しやすくした薄肉部から構成してもよい。
【００１２】
また、分離線からストッパベルトを切り離さずに爪先係合面のままとした場合、邪魔となるストッパベルトがないので、履き物内に簡易清掃具を装着し、履き物に相似な不織布製インナーソールとして用いることもできる。こうしたインナーソールとしての使用が可能な点は、使用者の選択により分離線からストッパベルトを切り離すか否かを選択できることによる利点である。
【００１３】
次に、踵係合部は、上述までの爪先係合部同様、清掃面と共に履き物の踵を差し込む踵袋部を形成する爪先係合面を前記清掃面の周縁に沿って溶着して形成する構成を示すことができる。これにより、履き物の踵に対して清掃面が離脱する可能性をなくすことができる。踵係合面は、伸長性を有する樹脂面材製とし、不織布又は樹脂フィルムを用いることができる。
【００１４】
また、踵係合部は、履き物の踵と清掃面との一体性を確保できればよいため、例えば、履き物の裏面に接面する清掃面の表面に、この履き物の裏面に着脱自在な係着面を取り付けて形成してもよい。すなわち、清掃面を直接的に履き物の裏面に係着するわけである。係着面は、両面テープ又は粘着面付面ファスナ（片面に面ファスナの雄面を有する粘着テープ）を用いる。両面テープは、片面を清掃面の表面に、残る他面を履き物の底部の裏面にそれぞれ粘着させる。また粘着面付面ファスナは、、面ファスナの雄面を清掃面の表面に係着させ、残る粘着面を履き物の底部の裏面に粘着させる。これら両面テープ又は粘着面付面ファスナは、使用者が自身の履き物に合わせて清掃面の表面に取り付けることができる利点がある。
【００１５】
更に、踵係止部は、清掃面から後方に延長し、履き物の裏面から踵を回ってこの履き物の表面に接面する折返面の表面に、履き物の表面に着脱自在な係着面を取り付けて形成してもよい。清掃面から延設して形成する折返面は、係着面により履き物の表面に係着すると共に、履き物又は足によって踏むことで、履き物の踵に対する清掃面の一体性を高めることができる。履き物の裏面に着脱する上記係着面と異なり、履き物の表面に着脱する係着面は、上述同様、両面テープ又は粘着面付面ファスナを用いることができる。
【００１６】
【発明の実施の形態】
以下、本発明の実施形態について図を参照しながら説明する。図１は清掃面３の表面に粘着面付面ファスナ１７を貼着した踵係合部を構成した簡易清掃具４を表した平面図、図２はスリッパ（履き物）５への装着関係を表した同簡易清掃具４の側面図、図３はスリッパ５に装着した状態を表した同簡易清掃具４の平面図、図４はスリッパ５に装着した状態を表した同簡易清掃具４の断面図であり、図５は靴１８への装着関係を表した同簡易清掃具４の側面図である。本例以下は、履き物として主にスリッパ５を例に挙げ、説明する。
【００１７】
本例の簡易清掃具４は、図１に見られるように、スリッパ５の底部６に略相似な形状に裁断した不織布製の清掃面３に、この清掃面３の前から約１／４に相当する長さで清掃面３の周縁に沿った外形状からなる不織布製の爪先係合面１を清掃面３の周縁に沿って溶着して爪先係合部となる爪先袋部７を形成し、併せてこの清掃面３の後方に粘着面付面ファスナ（雄面）１７を取り付けた踵係合部を形成している。粘着面付面ファスナ１７は、面ファスナの雄面を清掃面３の表面に係着し、スリッパ５の底部６の裏面に対して粘着面を着脱自在に粘着する。
【００１８】
本例の爪先係合面１の不織布は、伸長性を有している（例えばダイワボウ社製ＣＰＰ不織布等）。このため、図２に見られるように、爪先係合面１が形成する爪先袋部７の膨らみはスリッパ５の甲被１２に比べて小さいが、スリッパ５の爪先１３を爪先袋部７に差し込むと、図３及び図４に見られるように、爪先袋部７はそれぞれスリッパ５の爪先１３に倣って伸び、簡易清掃具４をスリッパ５に対して緊密に装着できる。図示は省略するが、爪先袋部を履き物の爪先と略同じ大きさに形成する場合、爪先係合面を構成する不織布又は樹脂フィルムは、伸長性がなくてもよい。
【００１９】
本例の踵係合部は、清掃面３の表面に面ファスナの雄面を係着した粘着面付面ファスナ１７から構成している。粘着面付面ファスナ１７は、使用者が簡易清掃具４を利用する直前に、自身が履くスリッパ５の底部６に合わせて適宜清掃面３に取り付けることができるため、便利である。
【００２０】
使用者は、図２に見られるように、足１６に履いたスリッパ５の爪先１３を爪先袋部７に差し込み、スリッパ５の底部６の裏面を清掃面３の表面に貼着した粘着面付面ファスナ１７上に降ろすだけで、図３及び図４に見られるように、簡易清掃具４を容易に装着できる。装着手順は簡単であり、スリッパ５に対する清掃面３の密着も十分図ることができる。使用者は、図４に見られるように、簡易清掃具４を装着したスリッパ５を履いて歩くだけで、清掃面３が床面（図示略）に接触して埃を吸着し、汚れを拭き取ることができる。
【００２１】
図２から明らかなように、スリッパ５と簡易清掃具４とは、長手方向（図２中左右方向）に略等長である。しかし、通常、スリッパ５は長手方向（図２中左右方向）に折り曲げることができるし、本発明の簡易清掃具４は全体が不織布から構成されるため、柔軟に曲げることができるし、上述したように爪先係合面１はそれぞれ伸長性を有し、スリッパ５の底部６は清掃面３に向けて降ろすだけでよいので、スリッパ５に対して簡易清掃具４は容易に脱着できる。
【００２２】
粘着面付面ファスナ１７を用いた踵係合部は、図５に見られるように、靴１８の靴底１９に対して直接清掃面３を密着させることができる。爪先係合面１は伸長性を有する不織布を用いているので、爪先袋部７は靴１８の甲被２２に合わせて膨らむことができ、特に伸縮性を有する不織布であれば、復元力によって爪先袋部７はより強く靴１８の甲被２２を締め付け、簡易清掃具４の離脱を確実に防止しうる。
【００２３】
図６は爪先係合部を構成する爪先係合面１に分離線９を設けた簡易清掃具４を表した平面図、図７はスリッパ５への装着関係を表した同簡易清掃具４の側面図、図８は分離線９からストッパベルト１１を切り離した同簡易清掃具４をスリッパ５に装着した状態を表した平面図、図９は分離線９からストッパベルト１１を切り離した同簡易清掃具４をスリッパ５に装着した状態を表した断面図であり、図１０は靴１８への装着関係を表した同簡易清掃具４の側面図である。
【００２４】
本発明の簡易清掃具４は、図６及び図７に見られるように、爪先係合部を構成する爪先係合面１から使用者の選択により分離自在なストッパベルト１１を設けることができる。本例では、後述するように、爪先係合面１から切り離したストッパベルト１１を足１６で踏むため、爪先係合面１の大きさは清掃面の前から約１／２の大きさになっている。分離線９は、爪先袋部７の開口１０から一定幅で設けた爪先係合面１上のミシン目であり、使用者が適宜分離線９から切り離すことで、ストッパベルト端１５を介して爪先係合面１と一体なストッパベルト１１を形成できる。
【００２５】
ストッパベルト１１は、図８及び図９に見られるように、使用者の足１６で踏むことにより、爪先係合面１と連続性を有するストッパベルト端１５を介してストッパベルト１１が清掃面３を引っ張り上げ、清掃面３をスリッパ５の底部６に密着させる。ここで、爪先係合面１が伸縮性を有する不織布製であれば、当然ストッパベルト１１も伸縮性を有し、復元力に伴う引っ張り力を発生させて清掃面３をより強く引っ張り上げ、スリッパ５の底部６に対する密着度を高めることができる。
【００２６】
また、本例の簡易清掃具４を靴１８に装着する場合、図１０に見られるように、粘着面付面ファスナ１７により靴１８の靴底１９に対して直接清掃面３を密着させ、爪先係合面１を靴１８に圧接するだけでなく、前記爪先係合面１から切り離したストッパベルト１１を靴１８の甲被２２に引っ掛けることで、簡易清掃具４の離脱をより確実に防止しうる。
【００２７】
本発明の簡易清掃具４では、スリッパ５と床面との間に清掃面３が介在し、爪先係合面１がスリッパ５の甲被１２を被覆しており、断熱作用を発揮する。更に、スリッパ５の底部６及び清掃面３の間と、スリッパ５の甲被１２及び爪先係合面１の間とにそれぞれ空気層を形成でき、各空気層が保温作用を発揮する。このように、本発明の簡易清掃具４は、スリッパ５の使用に際して床面を清掃するだけでなく、断熱作用及び保温作用を発揮する効果がある。
【００２８】
断熱作用及び保温作用をより発揮させるには、図１１（インナーソールとしてスリッパ５内に装着する同簡易清掃具４を表した側面図）に見られるように、簡易清掃具４をインナーソールとしてスリッパ５内に装着するとよい。ここで、爪先係合面１から切り離すことのできるストッパベルト１１（図６参照）を設けていた場合、ストッパベルト１１を爪先係合面１から切り離さずにそのままにしておけば、スリッパ５内へ容易に装着できる。
【００２９】
図１２は清掃面３から後方に延長した折返面２０の表面に粘着面付面ファスナ１７を貼着した踵係合部を構成した別例の簡易清掃具４を表した平面図、図１３はスリッパ５への装着関係を表した同簡易清掃具４の側面図、図１４はスリッパ５に装着した状態を表した同簡易清掃具４の平面図、図１５はスリッパ５に装着した状態を表した同簡易清掃具４の断面図であり、図１６は靴１８に装着した状態を表した同簡易清掃具４の断面図である。
【００３０】
粘着面付面ファスナ１７から構成する踵係合部は、スリッパ５の底部６に対して密着する清掃面３の範囲を、前記粘着面付面ファスナ１７の大きさに限る。例えば、清掃面の周囲に沿って両面テープ又は粘着面付面ファスナ等の係着面を形成できれば、スリッパの底部の裏面に対する密着度も改善されるが、使用者が係着面を形成する場合（両面テープ）、使用に先だって適宜両面テープを清掃面に貼る簡便さが損なわれる。
【００３１】
そこで、図１２及び図１３に見られるように、清掃面３を後方に延長して折返面２０を形成し、この折返面２０の表面に粘着テープ１７を貼着し、踵係合部を形成するとよい。清掃面３及び折返面２０合計の長さは、装着対象となる履き物の長さの２〜３倍が好ましい。本例の簡易清掃具４は、図１４及び図１５に見られるように、スリッパ５の踵１４を清掃面３と共に挟むように折り返し、スリッパ５の底部６の表面に粘着面付面ファスナ１７の粘着面を貼着することで、前記折返状態を保持し、スリッパ５の底部６に対する清掃面３の密着度を高める。
【００３２】
折返面２０は、履き物の裏面から踵を回って履き物の内側に折り込む部位であり、この限りで踵に対するストッパベルトと見ることができる。また、折返面２０を長くすると、履き物の内側に折り込んで、履き物の表面と使用者の足とで挟む範囲を増やし、履き物に対する簡易清掃具の離脱をより確実に防止できる。そこで、図１６に見られるように、清掃面３から後方に更に延長して折返面２０を形成し、踵２１の高い靴１８に折返面２０を折り込むと、この折返面２０を靴１８に対するストッパベルトとして機能させることができる。この場合、折返面２０は靴１８と足１６とにより十分挟持されて抜け出す虞れはないため、折返面２０の表面に係着面を設けなくてもよい。
【００３３】
図１７は爪先係合面１及び踵係合面２を清掃面３に溶着した簡易清掃具４の平面図、図１８はスリッパ５への装着関係を表した同簡易清掃具４の側面図、図１９はスリッパ５に装着した状態を表した同簡易清掃具４の平面図であり、図２０はスリッパ５に装着した状態を表した同簡易清掃具４の断面図である。
【００３４】
履き物の踵に対して広く清掃面を密着させるには、広い係着面を構成するほか、例えば図１７又は図１８に見られるように、清掃面３の後ろから約１／３に相当する長さで清掃面３の周縁に沿った外形状からなる不織布製の踵係合面２を清掃面３の周縁に沿って溶着して踵係合部を構成する踵袋部８を形成するとよい。簡易清掃具４は、スリッパ５の甲被１２を爪先袋部７に、そしてスリッパ５の踵１４は踵袋部８に差し込むことで、清掃面３を前後でスリッパ５の底部６に密着させることができる。
【００３５】
この場合、爪先係合面１に分離線９を設けておき、この分離線９から切り離すストッパベルト１１を足１６で踏むことにより、スリッパ５の底部６に対して中弛みなく、清掃面３を前記底部６の裏面に密着させることができる。更に、踵係合面２を不織布で構成しておけば、別途両面テープ又は粘着面付面ファスナを取り付けて、係着面を形成することもできる。
【００３６】
【発明の効果】
本発明の簡易清掃具は、爪先係合部及び踵係合部の併用によって、履き物の底部（又は靴底）に対する密着度を高めることができる。爪先係合部は、履き物の爪先を差し込む爪先袋部を構成する爪先係合面が、伸長性（特に伸縮性）を有する樹脂面材製（不織布製又は樹脂フィルム製）とすることで、特に履き物の甲被に対する密着が高まる。また、踵係合部は、係着面により履き物の底部に密着できるほか、踵係合面から構成する踵袋部により、前記爪先袋部同様に履き物の踵に対する密着度を高めることができる。このように、本発明は履き物に対する密着度を高めた簡易清掃具を提供する効果を有する。
【図面の簡単な説明】
【図１】清掃面の表面に粘着面付面ファスナを貼着した踵係合部を構成した簡易清掃具を表した平面図である。
【図２】スリッパへの装着関係を表した同簡易清掃具の側面図である。
【図３】スリッパに装着した状態を表した同簡易清掃具の平面図である。
【図４】スリッパに装着した状態を表した同簡易清掃具の断面図である。
【図５】靴への装着関係を表した同簡易清掃具の側面図である。
【図６】爪先係合部を構成する爪先係合面に分離線を設けた簡易清掃具を表した平面図である。
【図７】スリッパへの装着関係を表した同簡易清掃具の側面図である。
【図８】分離線からストッパベルトを切り離した同簡易清掃具をスリッパに装着した状態を表した平面図である。
【図９】分離線からストッパベルトを切り離した同簡易清掃具をスリッパに装着した状態を表した断面図である。
【図１０】靴への装着関係を表した同簡易清掃具の側面図である。
【図１１】インナーソールとしてスリッパ内に装着する同簡易清掃具を表した側面図である。
【図１２】清掃面から後方に延長した折返面の表面に粘着面付面ファスナを貼着した踵係合部を構成した別例の簡易清掃具を表した平面図である。
【図１３】スリッパへの装着関係を表した同簡易清掃具の側面図である。
【図１４】スリッパに装着した状態を表した同簡易清掃具の平面図である。
【図１５】スリッパに装着した状態を表した同簡易清掃具の断面図である。
【図１６】靴に装着した状態を表した同簡易清掃具の断面図である。
【図１７】爪先係合面及び踵係合面を清掃面に溶着した簡易清掃具の平面図である。
【図１８】スリッパへの装着関係を表した同簡易清掃具の側面図である。
【図１９】スリッパに装着した状態を表した同簡易清掃具の平面図である。
【図２０】スリッパに装着した状態を表した同簡易清掃具の断面図である。
【符号の説明】
１  爪先係合面
２  踵係合面
３  清掃面
４  簡易清掃具
７  爪先袋部
８  踵袋部
９  分離線
１１  ストッパベルト
１７  粘着面付面ファスナ（雄面）
２０  折返面
【図１】
2004248941.tif 000003
【図２】
2004248941.tif 000004
【図３】
2004248941.tif 000005
【図４】
2004248941.tif 000006
【図５】
2004248941.tif 000007
【図６】
2004248941.tif 000008
【図７】
2004248941.tif 000009
【図８】
2004248941.tif 000010
【図９】
2004248941.tif 000011
【図１０】
2004248941.tif 000012
【図１１】
2004248941.tif 000013
【図１２】
2004248941.tif 000014
【図１３】
2004248941.tif 000015
【図１４】
2004248941.tif 000016
【図１５】
2004248941.tif 000017
【図１６】
2004248941.tif 000018
【図１７】
2004248941.tif 000019
【図１８】
2004248941.tif 000020
【図１９】
2004248941.tif 000021
【図２０】
2004248941.tif 000022